(57)【要約】【課題】  全体の構造が簡素であって、容易に製造することができる電子ろうそくを提供する。【解決手段】  燭台３と、燭台３に起立状態に一体連結される筒状ろうそく本体４と、ろうそく本体４の上端５に付設される透光性炎形ケース１と、炎形ケース１内に収納される発光体２を備える。乾電池Ｂを電源としてスイッチ機構Ｓのオン／オフにより発光体２を点灯／消灯させる。ろうそく本体４と燭台３にて上下連結状空室部Ｒを形成する。空室部Ｒに乾電池Ｂを収納する。スイッチ機構Ｓを、炎形ケース１を押圧することにより、オン／オフ切換え自在に構成するとともに、上下連結状空室部Ｒの上方部位に設ける。【選択図】  図２
2005293856.tif 000002
【特許請求の範囲】
【請求項１】
上方のろうそく本体（４）と下方の燭台（３）を一体状に連結して、乾電池（Ｂ）を収納するための上下連結状空室部（Ｒ）を形成したことを特徴とする電子ろうそく。
【請求項２】
燭台（３）と、該燭台（３）に起立状態に一体連結される筒状ろうそく本体（４）と、該ろうそく本体（４）の上端（５）に付設される透光性炎形ケース（１）と、該炎形ケース（１）内に収納される発光体（２）を備え、乾電池（Ｂ）を電源としてスイッチ機構（Ｓ）のオン／オフにより上記発光体（２）を点灯／消灯させる電子ろうそくであって、
上記ろうそく本体（４）と上記燭台（３）にて上下連結状空室部（Ｒ）を形成し、該空室部（Ｒ）に乾電池（Ｂ）を収納し、
上記スイッチ機構（Ｓ）を、上記炎形ケース（１）を押圧することにより、上記オン／オフ切換え自在に構成するとともに、上記上下連結状空室部（Ｒ）の上方部位に設けたことを特徴とする電子ろうそく。
【請求項３】
燭台（３）が下端（６）に開閉自在な底蓋（７）を有し、該底蓋（７）の閉鎖状態に於て、乾電池（Ｂ）を上下連結状空室部（Ｒ）に収納・保持可能であって、該底蓋（７）の開放状態に於て、乾電池（Ｂ）を出し入れ可能に構成した請求項１又は２記載の電子ろうそく。
【発明の詳細な説明】
【技術分野】
【０００１】
本発明は、電子ろうそくに関する。
【背景技術】
【０００２】
一般に、ろうそくは点火して使用するので火災の危険性がある。そのため、電気による光を利用した電子ろうそくが公知である（例えば、特許文献１参照）。
【０００３】
しかし、現代社会の生活様式の変化で、仏壇も小型化され、燭台及びろうそくも小型化が望まれる様になっている。従来方式は、スイッチ機構が下部にあるので、乾電池の収納場所を含めた全体の構造が複雑になるという欠点があった。従って、乾電池を交換する際も交換しにくいという欠点があった。
【特許文献１】特開平９−７４１１号公報
【発明の開示】
【発明が解決しようとする課題】
【０００４】
解決しようとする課題は、構造が複雑であって、容易に製造できない点である。
【課題を解決するための手段】
【０００５】
そこで、本発明に係る電子ろうそくは、上方のろうそく本体と下方の燭台を一体状に連結して、乾電池を収納するための上下連結状空室部を形成したものである。
また、本発明に係る電子ろうそくは、燭台と、該燭台に起立状態に一体連結される筒状ろうそく本体と、該ろうそく本体の上端に付設される透光性炎形ケースと、該炎形ケース内に収納される発光体を備え、乾電池を電源としてスイッチ機構のオン／オフにより上記発光体を点灯／消灯させる電子ろうそくであって、上記ろうそく本体と上記燭台にて上下連結状空室部を形成し、該空室部に乾電池を収納し、上記スイッチ機構を、上記炎形ケースを押圧することにより、上記オン／オフ切換え自在に構成するとともに、上記上下連結状空室部の上方部位に設けたものである。
また、燭台が下端に開閉自在な底蓋を有し、該底蓋の閉鎖状態に於て、乾電池を上下連結状空室部に収納・保持可能であって、該底蓋の開放状態に於て、乾電池を出し入れ可能に構成したものである。
【発明の効果】
【０００６】
本発明の電子ろうそくによれば、燭台が付いているにかかわらず十分に小型化できて、小さな仏壇にも設置可能であり、かつ、全体の構造が簡素であって、容易に製造することができる。また、別途燭台を用意する必要がない。また、取扱いが容易であって、例えば、ろうそくが転倒した場合に、全体を立て直すのみで済む。また、従来はろうそく本体内が２層構造となっていて、小さなサイズの乾電池を使用せねばならなかったのに対し、外観寸法をほぼ同一とした場合、（本発明の方が従来よりも、）一ランク大きい乾電池を使用可能であって、ほとんどコストアップせずに、長時間点灯できる電子ろうそくを、提供可能となる。
【発明を実施するための最良の形態】
【０００７】
図１・図２は、本発明の実施の一形態の使用状態を示す。この電子ろうそくは、炎形ケース１を矢印Ａ方向に押圧することにより、炎形ケース１内に収納された発光体２が点灯／消灯するものであって、点灯時には本物の炎が灯っているように見える。発光体２は、例えば、ＬＥＤ（発光ダイオード）から成り、耐用年数が長い。
【０００８】
具体的には、樹脂製燭台３と、燭台３に起立状態に一体連結される樹脂製筒状ろうそく本体４と、ろうそく本体４の上端５に付設される透光性炎形ケース１と、炎形ケース１内に収納される発光体２を備える。炎形ケース１は、透光性材料───すなわち、透明又は半透明の樹脂やガラス等───から成る。ろうそく本体４は、下端17に外鍔状係止突部18を有し、係止突部18が燭台３の内面19に形成された段付部20に係止して、ろうそく本体４が燭台３から抜けるのを防止している。
【０００９】
乾電池Ｂを電源としてスイッチ機構Ｓのオン／オフにより発光体２を点灯／消灯させる。すなわち、スイッチ機構Ｓは、炎形ケース１を押圧することにより、オン／オフ切換え自在に構成されている。11，12，13はリード線を示し、14，15はコイル状の導電体を示す。16は基盤を示す。
【００１０】
ろうそく本体４と燭台３にて上下連結状空室部Ｒが上下細長状に形成されている。空室部Ｒに２個の乾電池Ｂが直列に収納されている。スイッチ機構Ｓは、上下連結状空室部Ｒの上方部位に設けられている。
【００１１】
燭台３は下端６に開閉自在な底蓋７を有する。底蓋７の閉鎖状態に於て、乾電池Ｂを上下連結状空室部Ｒに収納・保持可能であって、底蓋７の開放状態に於て、乾電池Ｂを出し入れ可能に構成されている。
【００１２】
図２・図３に示すように、底蓋７は、燭台３の下端６に設けられた一対の対向する孔８の一方に係止可能な係止用突片部９と、上記一対の対向する孔８の他方に弾発的に係止可能な弾発係止部10を、有する。弾発係止部10は、（板バネとして作用する倒立Ｕ字状の）弯曲部21を有する。
【００１３】
図４に示すように、上述のリード線13、導電体14、導電体15、乾電池Ｂは、使用状態───乾電池Ｂを収納して底蓋７を閉じた状態───に於て、電気的に接続されている。すなわち、リード線13の下端13ａは、導電体15とロウ付けＹされている。そして、使用状態に於て、導電体14の下端部14ａと導電体15の下端部15ａが圧接しているとともに、導電体14の上端部14ｂと乾電池Ｂが圧接している。導電体14は、円錐状コイル部24と渦巻コイル状下端部14ａとを一本の線材にて形成され、底蓋７の上方凹所23の底面に固着される。上方の導電体15はコイルバネから成る。このようにして、接続板を用いずにコイル状の２部材14，15を直接に接触させて、構造の簡素化を図っている。
【００１４】
なお、本発明は、設計変更可能であって、例えば、燭台３が、木材、金属等から成るも良い。
【００１５】
以上のように、本発明は、上方のろうそく本体４と下方の燭台３を一体状に連結して、乾電池Ｂを収納するための上下連結状空室部Ｒを形成したことにより、従来と同一の外観寸法にて一ランク大きいサイズの乾電池を収納できて、一層長時間点灯が可能となる。あるいは、コンパクト化を図って、小さな仏壇にも設置できる。
また、本発明は、燭台３と、燭台３に起立状態に一体連結される筒状ろうそく本体４と、ろうそく本体４の上端５に付設される透光性炎形ケース１と、炎形ケース１内に収納される発光体２を備え、乾電池Ｂを電源としてスイッチ機構Ｓのオン／オフにより発光体２を点灯／消灯させる電子ろうそくであって、ろうそく本体４と燭台３にて上下連結状空室部Ｒを形成し、空室部Ｒに乾電池Ｂを収納し、スイッチ機構Ｓを、炎形ケース１を押圧することにより、オン／オフ切換え自在に構成するとともに、上下連結状空室部Ｒの上方部位に設けたので、全体の構造が簡素であって、容易に製造することができる。また、燭台が付いているにかかわらず十分に小型化できて、小さな仏壇にも設置可能である。また、炎形ケース１とスイッチ機構Ｓの距離が短いので、押圧力が伝わり易く、確実に発光体２を点灯／消灯させることができる。また、別途燭台を用意する必要がない。また、取扱いが容易であって、例えば、ろうそくが転倒した場合に、全体を立て直すのみで済む。また、耐久品であって、本物のろうそくのように交換・補充する手間がかからず、至便である。
また、燭台３が下端６に開閉自在な底蓋７を有し、底蓋７の閉鎖状態に於て、乾電池Ｂを上下連結状空室部Ｒに収納・保持可能であって、底蓋７の開放状態に於て、乾電池Ｂを出し入れ可能に構成したので、容易に乾電池Ｂを交換することができる。
【図面の簡単な説明】
【００１６】
【図１】本発明の実施の一形態の使用状態を示す正面図である。
【図２】使用状態を示す断面正面図である。
【図３】底蓋を示す斜視図である。
【図４】要部拡大断面正面図である。
【符号の説明】
【００１７】
１  炎形ケース
２  発光体
３  燭台
４  ろうそく本体
５  上端
６  下端
７  底蓋
Ｂ  乾電池
Ｒ  （上下連結状）空室部
Ｓ  スイッチ機構
【図１】
2005293856.tif 000003
【図２】
2005293856.tif 000004
【図３】
2005293856.tif 000005
【図４】
2005293856.tif 000006